(57)【要約】      （修正有）【課題】檻体内に動物を確実に捕獲することができ、捕獲作業性及び捕獲効率を高めることができる動物捕獲装置を提供する。【解決手段】檻体１の前面に前侵入開口部２を設けると共に前侵入開口部２を開閉可能な前落戸体３を昇降自在に設け、前侵入開口部２を介して檻体１内に動物Ｗが侵入したとき前侵入開口部２を閉塞すべく前落戸体３を落下させる作動機構５を設けてなる。【選択図】図１
2018130051.tif 000002
【特許請求の範囲】
【請求項１】
檻体の前面に前侵入開口部を設けると共に該前侵入開口部を開閉可能な前落戸体を昇降自在に設け、前侵入開口部を介して該檻体内に動物が侵入したとき該前侵入開口部を閉塞すべく該前落戸体を落下させる作動機構を設けてなり、上記作動機構として、上記檻体に取付部材を配設し、該取付部材に旋回部材の中程部を支点軸により枢着して旋回自在に配置し、該旋回部材の一方端部に係脱部を形成し、該係脱部に前連繋ロープの一方端部を係脱自在に掛止すると共に該前連繋ロープの他方端部を上記前落戸体に掛止し、該旋回部材の他方端部に牽引ロープの一方端部を掛止すると共に該牽引ロープの他方端部を該檻体の側面部分に掛止して該檻体内に侵入した動物により牽引される牽引ロープの牽引部分を形成し、該取付部材に該前連繋ロープに当接して該旋回部材の係脱部からの該前連繋ロープの離脱を助長する助長部材を配置してなることを特徴とする動物捕獲装置。
【請求項２】
上記檻体の前面及び後面に前侵入開口部及び後侵入開口部を設けると共に該前侵入開口部及び該後侵入開口部を開閉可能な前落戸体及び後落戸体をそれぞれ昇降自在に設け、前侵入開口部及び後侵入開口部を介して該檻体内に動物が侵入したとき該前侵入開口部及び該後侵入開口部を閉塞すべく該前落戸体及び該後落戸体を落下させる作動機構を設けてなり、上記作動機構として、上記檻体に取付部材を配設し、該取付部材に旋回部材の中程部を支点軸により枢着して旋回自在に配置し、該旋回部材の一方端部に係脱部を形成し、該係脱部に前連繋ロープの一方端部を係脱自在に掛止すると共に該前連繋ロープの他方端部を上記前落戸体に掛止し、該旋回部材の他方端部に牽引ロープの一方端部を掛止すると共に該牽引ロープの他方端部を該檻体の側面部分に掛止して該檻体内に侵入した動物により牽引される牽引ロープの牽引部分を形成し、該取付部材に該前連繋ロープに当接して該旋回部材の係脱部からの前連繋ロープの離脱を助長する助長部材を配置し、該前連繋ロープの一方端部に後連繋ロープの一方端部を係脱自在に掛止すると共に該後連繋ロープの他方端部を上記後落戸体に掛止してなることを特徴とする動物捕獲装置。
【請求項３】
上記檻体に上記前落戸体を上昇位置に係留可能な前係留部材をもつ前係留機構を備えてなることを特徴とする請求項１記載の動物捕獲装置。
【請求項４】
上記檻体に上記後落戸体を上昇位置に係留可能な後係留部材をもつ後係留機構を備えてなることを特徴とする請求項２記載の動物捕獲装置。
【請求項５】
上記檻体に上記牽引ロープを迂回案内可能な案内機構を設けてなることを特徴とする請求項１〜４のいずれか１項に記載の動物捕獲装置。
【発明の詳細な説明】
【技術分野】
【０００１】
本発明は例えば猪、猪豚、熊等の野生動物を捕獲する際に用いられる動物捕獲装置に関するものである。
【背景技術】
【０００２】
従来、この種の動物捕獲装置として、檻体に侵入開口部を設けると共に侵入開口部を開閉可能な落戸体を昇降自在に設け、侵入開口部を介して檻体内に動物が侵入したとき侵入開口部を閉塞すべく落戸体を落下させる作動機構を設けた構造のものが知られている。
【先行技術文献】
【特許文献】
【０００３】
【特許文献１】特開２００５−１６８４７３
【発明の概要】
【発明が解決しようとする課題】
【０００４】
しかしながら上記従来構造の場合、上記作動機構の構造が複雑化し易いことがあるという不都合を有している。
【課題を解決するための手段】
【０００５】
本発明はこれらの不都合を解決することを目的とするもので、本発明のうちで、請求項１記載の発明は、檻体の前面に前侵入開口部を設けると共に該前侵入開口部を開閉可能な前落戸体を昇降自在に設け、前侵入開口部を介して該檻体内に動物が侵入したとき該前侵入開口部を閉塞すべく該前落戸体を落下させる作動機構を設けてなり、上記作動機構として、上記檻体に取付部材を配設し、該取付部材に旋回部材の中程部を支点軸により枢着して旋回自在に配置し、該旋回部材の一方端部に係脱部を形成し、該係脱部に前連繋ロープの一方端部を係脱自在に掛止すると共に該前連繋ロープの他方端部を上記前落戸体に掛止し、該旋回部材の他方端部に牽引ロープの一方端部を掛止すると共に該牽引ロープの他方端部を該檻体の側面部分に掛止して該檻体内に侵入した動物により牽引される牽引ロープの牽引部分を形成し、該取付部材に該前連繋ロープに当接して該旋回部材の係脱部からの該前連繋ロープの離脱を助長する助長部材を配置してなることを特徴とする動物捕獲装置にある。
【０００６】
又、請求項２記載の発明は、上記檻体の前面及び後面に前侵入開口部及び後侵入開口部を設けると共に該前侵入開口部及び該後侵入開口部を開閉可能な前落戸体及び後落戸体をそれぞれ昇降自在に設け、前侵入開口部及び後侵入開口部を介して該檻体内に動物が侵入したとき該前侵入開口部及び該後侵入開口部を閉塞すべく該前落戸体及び該後落戸体を落下させる作動機構を設けてなり、上記作動機構として、上記檻体に取付部材を配設し、該取付部材に旋回部材の中程部を支点軸により枢着して旋回自在に配置し、該旋回部材の一方端部に係脱部を形成し、該係脱部に前連繋ロープの一方端部を係脱自在に掛止すると共に該前連繋ロープの他方端部を上記前落戸体に掛止し、該旋回部材の他方端部に牽引ロープの一方端部を掛止すると共に該牽引ロープの他方端部を該檻体の側面部分に掛止して該檻体内に侵入した動物により牽引される牽引ロープの牽引部分を形成し、該取付部材に該前連繋ロープに当接して該旋回部材の係脱部からの前連繋ロープの離脱を助長する助長部材を配置し、該前連繋ロープの一方端部に後連繋ロープの一方端部を係脱自在に掛止すると共に該後連繋ロープの他方端部を上記後落戸体に掛止してなることを特徴とする動物捕獲装置にある。
【０００７】
又、請求項３記載の発明は、上記檻体に上記前落戸体を上昇位置に係留可能な前係留部材をもつ前係留機構を備えてなることを特徴とするものであり、又、請求項４記載の発明は、上記檻体に上記後落戸体を上昇位置に係留可能な後係留部材をもつ後係留機構を備えてなることを特徴とするものであり、又、請求項５記載の発明は、上記檻体に上記牽引ロープを迂回案内可能な案内機構を設けてなることを特徴とするものである。
【発明の効果】
【０００８】
本発明は上述の如く、請求項１記載の発明にあっては、檻体内に前侵入開口部を介して動物が侵入して檻体内の牽引ロープの牽引部分に動物が掛かり、動物が牽引ロープを牽引すると、作動機構の旋回部材は支点軸を中心として旋回し、前連繋ロープは係脱部から離脱し、助長部材は係脱部からの前連繋ロープの離脱を助長して係脱部からの前連繋ロープの離脱が確実になされ、前連繋ロープの離脱により前落戸体は大きな自重により急速降下し、前侵入開口部は閉塞され、檻体内に動物を確実に捕獲することができ、捕獲作業性及び捕獲効率を高めることができる。
【０００９】
又、請求項２記載の発明にあっては、檻体内に前侵入開口部及び又は後侵入開口部を介して動物が侵入して檻体内の牽引ロープの牽引部分に動物が掛かり、動物が牽引ロープを牽引すると、旋回部材は支点軸を中心として旋回し、前連繋ロープは係脱部から離脱すると共に後連繋ロープは前連繋ロープから離脱し、助長部材は係脱部からの前連繋ロープの離脱を助長して係脱部からの前連繋ロープの離脱及び前連繋ロープからの後連繋ロープの離脱が確実になされ、前連繋ロープ及び後連繋ロープの離脱により前落戸体及び後落戸体はそれぞれ大きな自重により急速降下し、前侵入開口部及び後侵入開口部は閉塞され、檻体内に動物を確実に捕獲することができ、捕獲作業性及び捕獲効率を高めることができる。
【００１０】
又、請求項３記載の発明にあっては、上記檻体に上記前落戸体を上昇位置に係留可能な前係留部材をもつ前係留機構を備えてなるから、作動機構の旋回部材の係脱部と前連繋ロープ、前連繋ロープと前落戸体との連繋作業等の準備作業において、前落戸体の落下を確実に阻止することができ、準備作業を安全に行うことができ、又、請求項４記載の発明にあっては、上記檻体に上記後落戸体を上昇位置に係留可能な後係留部材をもつ後係留機構を備えてなるから、作動機構の旋回部材の係脱部と前連繋ロープ、前連繋ロープと後連繋ロープ、前連繋ロープと前落戸体、後連繋ロープと後落戸体との連繋作業等の準備作業において、後落戸体の落下を確実に阻止することができ、準備作業を安全に行うことができ、又、請求項５記載の発明にあっては、上記檻体に上記牽引ロープを迂回案内可能な案内機構を設けてなるから、牽引ロープの牽引動作及び旋回部材の旋回動作を確実に行うことができ、捕獲作業性及び捕獲効率を一層高めることができる。
【図面の簡単な説明】
【００１１】
【図１】本発明の実施の第一形態例の全体斜視図である。
【図２】本発明の実施の第一形態例の全体平面図である。
【図３】本発明の実施の第一形態例の部分平面図である。
【図４】本発明の実施の第一形態例の部分断面図である。
【図５】本発明の実施の第一形態例の部分断面図である。
【図６】本発明の実施の第一形態例の部分斜視図である。
【図７】本発明の実施の第一形態例の部分断面図である。
【図８】本発明の実施の第一形態例の部分断面図である。
【図９】本発明の実施の第一形態例の部分斜視図である。
【図１０】本発明の実施の第一形態例の部分平面図である。
【図１１】本発明の実施の第一形態例の部分断面図である。
【図１２】本発明の実施の第二形態例の全体斜視図である。
【図１３】本発明の実施の第二形態例の全体平面図である。
【図１４】本発明の実施の第二形態例の部分平面図である。
【図１５】本発明の実施の第二形態例の部分断面図である。
【図１６】本発明の実施の第二形態例の部分斜視図である。
【図１７】本発明の実施の第二形態例の部分平面図である。
【発明を実施するための形態】
【００１２】
図１乃至図１７は本発明の実施の形態例を示し、図１乃至図１１は請求項１の発明に対応する第一形態例、図１２乃至図１７は請求項２の発明に対応する第二形態例である。
【００１３】
図１乃至図１１の第一形態例において、１は檻体であって、この場合、図１の如く、金属製にして上面、底面、前面、後面及び両側面からなる四角枠体１ａに複数個の格子桟１ｂ・・を止着してなり、檻体１の前面に前侵入開口部２を開口形成し、檻体１の上面にツキノワグマ用の脱出口Ｄを形成して構成している。
【００１４】
３は前落戸体であって、図１、図２、図１１の如く、金属製にして、四角枠体３ａに複数個の格子桟３ｂ・・を止着してなり、上記前侵入開口部２を開閉可能な大きさに形成され、前侵入開口部２の両側部に断面凹形状のガイド杆４・４を対向配設し、前落戸体３をガイド杆４・４により上昇位置Ｇから下降位置Ｑへと自重落下するように構成している。
【００１５】
５は作動機構であって、この場合、図３、図４、図５、図６、図９の如く、上記檻体１の上面に取付部材６を固定配設し、この取付部材６に旋回部材７の中程部を支点軸８により枢着して旋回自在に配置し、旋回部材７の一方端部に係脱部９を形成し、この場合、旋回部材７の一方端部に切欠凹部７ａを形成して突出片状の係脱部９を形成し、この係脱部９に前連繋ロープ１０の一方端部を連繋リング１０ａを介して係脱自在に掛止すると共に前連繋ロープ１０の他方端部を上記前落戸体３の下部の格子桟３ｂに連結具１０ｂを介して掛止している。
【００１６】
又、この場合、図３、図４、図５、図６、図１０の如く、上記旋回部材７の他方端部に牽引ロープ１１の一方端部を止め穴７ｂにより縛着掛止すると共に牽引ロープ１１の他方端部を檻体１の側面部分の格子桟１ｂに縛着掛止して檻体１内に侵入した動物Ｗにより牽引される牽引ロープ１１の牽引部分１１ａを形成し、取付部材６に旋回部材７に係脱可能なロック杆１２を上下動自在に設け、図５の如く、ロック杆１２を下降してロック杆１２を旋回部材７から離反して旋回部材７の旋回を許容し、図７の如く、ロック杆１２を上昇してロック杆１２を旋回部材７に当接して旋回部材７の旋回を阻止するように構成している。
【００１７】
１３は助長部材であって、この場合、図３、図４、図６の如く、軸状に形成され、上記取付部材６に上記前連繋ロープ１０の一方端部の前連繋リング１０ａに当接して旋回部材７の係脱部９からの前連繋ロープ１０の離脱を助長する位置に植設されている。
【００１８】
１４は前係留機構であって、上記前落戸体３を上昇位置Ｇに係留可能な前係留部材１４ａを備えてなり、この場合、図２、図８の如く、上記檻体１の前侵入開口部２の左右両側部の断面凹形状のガイド杆４・４に四角枠状の支持枠１４ｂを固着し、支持枠１４ｂに前係留部材１４ａをバネ部材１４ｃ及びカラー１４ｄにより弾圧突設し、前係留部材１４ａを前落戸体３の底面に当接離反自在に設け、上記前落戸体３を前係留部材１４ａにより上昇位置Ｇに係留すると共に前係留部材１４ａを釈放位置に引動したとき前落戸体３の上昇位置Ｇから下降位置Ｑへの自重落下を許容するように構成している。
【００１９】
１５は案内機構であって、上記牽引ロープ１１を上記檻体１に迂回案内可能に設けられ、この場合、図１の如く、上記檻体１の側面部に案内滑車１５ａを回転自在に取付け、上記旋回部材７の他方端部に縛着掛止された牽引ロープ１１の他方端部を檻体１の上面角部で折り返して案内滑車１５ａに掛回したのちに檻体１の側面部分の格子桟１ｂに縛着掛止し、檻体１の側面部分間に牽引ロープ１１を張架し、侵入した動物Ｗにより牽引される牽引ロープ１１の牽引部分１１ａを形成して構成している。
【００２０】
この実施の第一形態例は上記構成であるから、先ずは、図８の如く、前係留機構１４の前係留部材１４ａにより前落戸体３を上昇位置Ｇに係留し、図１、図３、図４、図９の如く、上記旋回部材７の一方端部の係脱部９に前連繋ロープ１０の一方端部の前連繋リング１０ａを係脱自在に掛止すると共に前連繋ロープ１０の他方端部を上記前落戸体３の下部の格子桟３ｂに連結具１０ｂを介して掛止し、旋回部材７の他方端部に牽引ロープ１１の一方端部を止め穴７ｂにより縛着掛止すると共に牽引ロープ１１の他方端部を檻体１の側面部分の格子桟１ｂに縛着掛止すると共に檻体１内に侵入した動物Ｗにより牽引される牽引ロープ１１の牽引部分１１ａを形成し、これら準備作業が完了したら、前係留機構１４の前係留部材１４ａを引動すると共にロック杆１２による旋回部材７のロックを解除し、前落戸体３は前連繋ロープ１０により吊下され、前侵入開口部２の開口状態が保持され、この開口状態で動物Ｗの侵入を待つことになる。
【００２１】
そして、この開口状態で、檻体１内に前侵入開口部２を介して動物Ｗが侵入して檻体１内の牽引ロープ１１の牽引部分１１ａに動物Ｗが掛かり、動物Ｗが牽引ロープ１１を牽引すると、図１０の如く、旋回部材７は支点軸８を中心として旋回し、前連繋ロープ１０は係脱部９から離脱し、旋回部材７の旋回に伴って助長部材１３に前連繋ロープ１０が当接して助長部材１３は係脱部９からの前連繋ロープ１０の離脱を助長し、係脱部９からの前連繋ロープ１０の離脱により前落戸体３は上昇位置Ｇから下降位置Ｑへと前落戸体３の大きな自重により急速降下し、前侵入開口部２は閉塞され、檻体１内に動物Ｗを捕獲することになる。
【００２２】
したがって、檻体１内に前侵入開口部２を介して動物Ｗが侵入して檻体１内の牽引ロープ１１の牽引部分１１ａに動物Ｗが掛かり、動物Ｗが牽引ロープ１１を牽引すると、図１０の如く、作動機構５の旋回部材７は支点軸８を中心として旋回し、前連繋ロープ１０は係脱部９から離脱し、助長部材１３は係脱部９からの前連繋ロープ１０の離脱を助長して係脱部９からの前連繋ロープ１０の離脱が確実になされ、前連繋ロープ１０の離脱により前落戸体３は上昇位置Ｇから下降位置Ｑへと前落戸体３の大きな自重により急速降下し、前侵入開口部２は閉塞され、檻体１内に動物Ｗを確実に捕獲することができ、捕獲作業性及び捕獲効率を高めることができる。
【００２３】
又、この場合、上記檻体１に上記前落戸体３を上昇位置Ｇに係留可能な前係留部材１４ａをもつ前係留機構１４を備えてなるから、作動機構５の旋回部材７の係脱部９と前連繋ロープ１０、前連繋ロープ１０と前落戸体３との連繋作業等の準備作業において、前落戸体３の落下を確実に阻止することができ、準備作業を安全に行うことができ、又、この場合、上記檻体１に上記牽引ロープ１１を迂回案内可能な案内機構１５を設けてなるから、牽引ロープ１１の牽引動作及び旋回部材７の旋回動作を確実に行うことができ、捕獲作業性及び捕獲効率を一層高めることができる。
【００２４】
図１２乃至図１７の第二形態例において、上記第一形態例と同一態様部分には同一の符号を付して説明すると、図１２、図１３の如く、檻体１の前面及び後面に前侵入開口部２及び後侵入開口部１６を設けると共に前侵入開口部２及び後侵入開口部１６を開閉可能な前落戸体３及び後落戸体１７をそれぞれ昇降自在に設け、上記後落戸体１７は四角枠体１７ａに複数個の格子桟１７ｂ・・を止着してなり、前侵入開口部２及び後侵入開口部１６を介して檻体１内に動物Ｗが侵入したとき前侵入開口部２及び後侵入開口部１６を閉塞すべく前落戸体３及び後落戸体１７を落下させる作動機構５が設けられ、上記作動機構５として、図１４、図１５、図１６、図１７の如く、上記檻体１に取付部材６を固定配設し、取付部材６に旋回部材７の中程部を支点軸８により枢着して旋回自在に配置し、旋回部材７の一方端部に係脱部９を形成し、係脱部９に前連繋ロープ１０の一方端部を係脱自在に掛止すると共に前連繋ロープ１０の他方端部を上記前落戸体３に掛止し、旋回部材７の他方端部に牽引ロープ１１の一方端部を掛止すると共に牽引ロープ１１の他方端部を檻体１の側面部分に掛止して檻体１内に侵入した動物Ｗにより牽引される牽引ロープ１１の牽引部分１１ａを形成し、取付部材６に前連繋ロープ１０に当接して旋回部材７の係脱部９からの前連繋ロープ１０の離脱を助長する助長部材１３を配置し、前連繋ロープ１０の一方端部の連繋リング１０ａに後連繋ロープ１８の一方端部のリング結び目１８ａを係脱自在に掛止すると共に後連繋ロープ１８の他方端部を取付部材６に植設した折返杆１９を介して上記後落戸体１７の下部の格子桟１７ｂに連結具１８ｂを介して掛止して構成している。
【００２５】
２０は後係留機構であって、上記後落戸体１７を上昇位置Ｇに係留可能な後係留部材２０ａを備えてなり、この場合、図８、図１３の如く、上記檻体１の後侵入開口部１６の左右両側部の断面凹形状のガイド杆４・４に四角枠状の支持枠２０ｂを固着し、支持枠２０ｂに後係留部材２０ａをバネ部材２０ｃ及びカラー２０ｄにより弾圧突設し、後係留部材２０ａを後落戸体１７の底面に当接離反自在に設け、上記後落戸体１７を後係留部材２０ａにより上昇位置Ｇに係留すると共に後係留部材２０ａを引動したとき後落戸体１７の上昇位置Ｇから下降位置Ｑへの自重落下を許容するように構成している。
【００２６】
この実施の第二形態例は上記構成であるから、先ずは、図８の如く、前係留機構１４の前係留部材１４ａにより前落戸体３を上昇位置Ｇに係留すると共に後係留機構２０の後係留部材２０ａにより後落戸体１７を上昇位置Ｇに係留し、図１４、図１５、図１６の如く、上記旋回部材７の一方端部の係脱部９に前連繋ロープ１０の一方端部の前連繋リング１０ａを係脱自在に掛止すると共に前連繋ロープ１０の他方端部を上記前落戸体３の下部の格子桟３ｂに連結具１０ｂを介して掛止し、旋回部材７の他方端部に牽引ロープ１１の一方端部を止め穴７ｂにより縛着掛止すると共に牽引ロープ１１の他方端部を檻体１の側面部分の格子桟１ｂに縛着掛止すると共に檻体１内に侵入した動物Ｗにより牽引される牽引ロープ１１の牽引部分１１ａを形成し、前連繋ロープ１０の一方端部の連繋リング１０ａに後連繋ロープ１８の一方端部のリング結び目１８ａを係脱自在に掛止すると共に後連繋ロープ１８の他方端部を折返杆１９を介して上記後落戸体１７の下部の格子桟１７ｂに連結具１８ｂを介して掛止し、これら準備作業が完了したら、前係留機構１４の前係留部材１４ａ及び後係留機構２０の後係留部材２０ａを引動すると共にロック杆１２による旋回部材７のロックを解除し、前落戸体３は前連繋ロープ１０により吊下され、後落戸体１７は後連繋ロープ１８により吊下され、前侵入開口部２及び後侵入開口部１６の開口状態が保持され、この開口状態で動物Ｗの侵入を待つことになる。
【００２７】
そして、この開口状態で、檻体１内に前侵入開口部２及び又は後侵入開口部１６を介して動物Ｗが侵入して檻体１内の牽引ロープ１１の牽引部分１１ａに動物Ｗが掛かり、動物Ｗが牽引ロープ１１を牽引すると、図１６の如く、旋回部材７は支点軸８を中心として旋回し、前連繋ロープ１０は係脱部９から離脱すると共に後連繋ロープ１８の一方端部のリング結び目１８ａは前連繋ロープ１０の一方端部の連繋リング１０ａから離脱し、旋回部材７の旋回に伴って助長部材１３に前連繋ロープ１０が当接して助長部材１３は係脱部９からの前連繋ロープ１０の離脱を助長し、係脱部９からの前連繋ロープ１０及び前連繋ロープ１０からの後連繋ロープ１８の離脱により前落戸体３及び後落戸体１７はそれぞれ上昇位置Ｇから下降位置Ｑへと前落戸体３及び後落戸体１７の大きな自重により急速降下し、前侵入開口部２及び後侵入開口部１６は閉塞され、檻体１内に動物Ｗを捕獲することになる。
【００２８】
したがって、檻体１内に前侵入開口部２及び又は後侵入開口部１６を介して動物Ｗが侵入して檻体１内の牽引ロープ１１の牽引部分１１ａに動物Ｗが掛かり、動物Ｗが牽引ロープ１１を牽引すると、図１７の如く、旋回部材７は支点軸８を中心として旋回し、前連繋ロープ１０は係脱部９から離脱すると共に後連繋ロープ１８の一方端部のリング結び目１８ａは前連繋ロープ１０の一方端部の連繋リング１０ａから離脱し、助長部材１３は係脱部９からの前連繋ロープ１０の離脱を助長して係脱部９からの前連繋ロープ１０の離脱及び前連繋ロープ１０からの後連繋ロープ１８の離脱が確実になされ、前連繋ロープ１０及び後連繋ロープ１８の離脱により前落戸体３及び後落戸体１７はそれぞれ上昇位置Ｇから下降位置Ｑへと前落戸体３及び後落戸体１７の大きな自重により急速降下し、前侵入開口部２及び後侵入開口部１６は閉塞され、檻体１内に動物Ｗを確実に捕獲することができ、捕獲作業性及び捕獲効率を高めることができる。
【００２９】
又、この場合、上記檻体１に上記前落戸体３を上昇位置Ｇに係留可能な前係留部材１４ａをもつ前係留機構１４を備えてなるから、作動機構５の旋回部材７の係脱部９と前連繋ロープ１０、前連繋ロープ１０と前落戸体３との連繋作業等の準備作業において、前落戸体３の落下を確実に阻止することができ、準備作業を安全に行うことができ、又、この場合、上記檻体１に上記後落戸体１７を上昇位置Ｇに係留可能な後係留部材２０ａをもつ後係留機構２０を備えてなるから、作動機構５の旋回部材７の係脱部９と前連繋ロープ１０、前連繋ロープ１０と後連繋ロープ１８、前連繋ロープ１０と前落戸体３、後連繋ロープ１８と後落戸体１７との連繋作業等の準備作業において、後落戸体１７の落下を確実に阻止することができ、又、この場合、上記檻体１に上記牽引ロープ１１を迂回案内可能な案内機構１５を設けてなるから、牽引ロープ１１の牽引動作及び旋回部材７の旋回動作を確実に行うことができ、捕獲作業性及び捕獲効率を一層高めることができる。
【００３０】
尚、本発明は上記実施の形態例に限られるものではなく、例えば、上記ロープにはアラミド繊維等の繊維製ロープ、金属製ロープ、金属製ワイヤ等を含むものであり、檻体１、前落戸体３及び後落戸体１７、作動機構５、前係留機構１４及び後係留機構２０、案内機構１５等の構造等は適宜変更して設計されるものである。
【００３１】
以上、所期の目的を充分達成することができる。
【符号の説明】
【００３２】
Ｇ    上昇位置
Ｗ    動物
１    檻体
２    前侵入開口部
３    前落戸体
５    作動機構
６    取付部材
７    旋回部材
８    支点軸
９    係脱部
１０    前連繋ロープ
１１    牽引ロープ
１１ａ    牽引部分
１３    助長部材
１４    前係留機構
１４ａ    前係留部材
１５    案内機構
１６    後侵入開口部
１７    後落戸体
１８    後連繋ロープ
２０    後係留機構
２０ａ    後係留部材
【図１】
2018130051.tif 000003
【図２】
2018130051.tif 000004
【図３】
2018130051.tif 000005
【図４】
2018130051.tif 000006
【図５】
2018130051.tif 000007
【図６】
2018130051.tif 000008
【図７】
2018130051.tif 000009
【図８】
2018130051.tif 000010
【図９】
2018130051.tif 000011
【図１０】
2018130051.tif 000012
【図１１】
2018130051.tif 000013
【図１２】
2018130051.tif 000014
【図１３】
2018130051.tif 000015
【図１４】
2018130051.tif 000016
【図１５】
2018130051.tif 000017
【図１６】
2018130051.tif 000018
【図１７】
2018130051.tif 000019